(57)【特許請求の範囲】
【請求項１】
体の中心に置いて使用するゴルフ訓練用具であって、股間の位置決めを行う股間支持部と、この股間支持部の前方側に張り出す円弧状ガイド部を有するニーガイドを備え、円弧状ガイド部は、アドレスの段階で両膝と接触し且つテイクバックの段階でボール飛行方向側に位置する足の膝が摺接することでその移動動作を案内すると共に、切り返しの段階でボール飛行方向とは反対側に位置する足の膝が摺接することでその移動動作を案内することを特徴とするゴルフ訓練用具。
【請求項２】
股間支持部は、跨った状態で股間の位置決めを行う請求項１に記載のゴルフ訓練用具。
【請求項３】
股間支持部は、臀部を略載せた状態で股間の位置決めを行う請求項１に記載のゴルフ訓練用具。
【請求項４】
ニーガイドは、股間支持部の前方側に張り出す円弧状ガイド部から下方に向けて末広がりに形成された袴状ガイド部を有し、この袴状ガイド部は、アドレスの段階で両脹脛と接触し且つテイクバックの段階でボール飛行方向側に位置する足の脹脛が摺接することでその移動動作を案内すると共に、切り返しの段階でボール飛行方向とは反対側に位置する足の脹脛が摺接することでその移動動作を案内する請求項１ないし３のいずれかに記載のゴルフ訓練用具。
【請求項５】
支柱と、この支柱を自立させるスタンドを備え、股間支持部およびニーガイドは、支柱に対して上下方向に移動可能に支持されている請求項１ないし４のいずれかに記載のゴルフ訓練用具。
【請求項６】
股間支持部およびニーガイドを支柱に対して折り畳み可能とすると共に、スタンドを折り畳み可能とした請求項５に記載のゴルフ訓練用具。
【発明の詳細な説明】
【０００１】
【発明の属する技術分野】
本発明は、ゴルフの理想的なスイングを身に付ける練習において用いるのに好適なゴルフ訓練用具に関するものである。
【０００２】
【従来の技術】
従来、ゴルフの練習を行う場合、例えば、サッカーボールやタイヤを膝の間に挟んだり、腰を柱などに縛り付けたりして、上下運動や、前後左右の位置ずれが生じないようにして、スイングを繰り返し行うようにしていた。
【０００３】
【発明が解決しようとする課題】
ところが、従来において、サッカーボールやタイヤを体に装着してスイングする場合や、体を拘束してスイングする場合には、違和感を伴うことを避けることができないうえ、動かない止まっているボールを的確に捕らえる（ボールをミートする）ために必要な基本となるスイング軸をイメージすることはできても、練習中に正しい動きができているか否かの判断を自分で下すことができず、すなわち、理想的なスイング軸を体感することができず、できたとしても多くの時間を費やさなくてはならないという問題があり、この問題を解決することが従来の課題となっていた。
【０００４】
【発明の目的】
本発明は、上記した従来の課題に着目してなされたもので、違和感なく練習することができ、理想的なスイング軸を体感することで、動作の正否を自己診断することが可能であり、その結果、ミート率を高めることができるゴルフ訓練用具を提供することを目的としている。
【０００５】
【課題を解決するための手段】
本発明の請求項１に係わる発明は、体の中心に置いて使用するゴルフ訓練用具であって、股間の位置決めを行う股間支持部と、この股間支持部の前方側に張り出す円弧状ガイド部を有するニーガイドを備え、円弧状ガイド部は、アドレスの段階で両膝と接触し且つテイクバックの段階でボール飛行方向側に位置する足の膝が摺接することでその移動動作を案内すると共に、切り返しの段階でボール飛行方向とは反対側に位置する足の膝が摺接することでその移動動作を案内する構成としたことを特徴としており、このゴルフ訓練用具の構成を前述した従来の課題を解決するための手段としている。
【０００６】
本発明の請求項２に係わるゴルフ訓練用具において、股間支持部は、跨った状態で股間の位置決めを行う構成とし、本発明の請求項３に係わるゴルフ訓練用具において、股間支持部は、臀部を略載せた状態で股間の位置決めを行う構成としている。
【０００７】
本発明の請求項４に係わるゴルフ訓練用具において、ニーガイドは、股間支持部の前方側に張り出す円弧状ガイド部から下方に向けて末広がりに形成された袴状ガイド部を有し、この袴状ガイド部は、アドレスの段階で両脹脛と接触し且つテイクバックの段階でボール飛行方向側に位置する足の脹脛が摺接することでその移動動作を案内すると共に、切り返しの段階でボール飛行方向とは反対側に位置する足の脹脛が摺接することでその移動動作を案内する構成としている。
【０００８】
本発明の請求項５に係わるゴルフ訓練用具は、支柱と、この支柱を自立させるスタンドを備え、股間支持部およびニーガイドは、支柱に対して上下方向に移動可能に支持されている構成とし、本発明の請求項６に係わるゴルフ訓練用具は、股間支持部およびニーガイドを支柱に対して折り畳み可能とすると共に、スタンドを折り畳み可能とした構成としている。
【０００９】
本発明に係わるゴルフ訓練用具は、パター以外の全てのゴルフクラブのスイング練習に用いることができ、この際、ゴルフクラブの長さに応じて足の位置決めを行うスタンス調整部を設けることが望ましく、膝のスウェーを阻止するための膝挟持部を設ける構成とすることがより好ましい。
【００１０】
ここで、ボールを遠くに正確に飛ばすことが可能になる理想的なスイングには、１．下半身を安定させること
２．テイクバックの際に体を十分に捻転させて、トップオブポジションをとること（右利きの人の場合、右膝をアドレス状態に保ちつつ、左膝の使い方に注意して股関節右側部分にスムーズに体重を移動する）
３．捩じった状態を保ちつつ、ダウンスイングに切り返すこと（腰の使い方）
４．切り返しにおいて、右利きの人の場合は右膝の送り動作に注意して右から左への体重を円滑に行うこと
が必須であり、これらの要素を取り入れることで、ミート率およびヘッドスピードがいずれもアップする。
【００１１】
【発明の作用】
本発明の請求項１〜３に係わるゴルフ訓練用具では、上記した構成としているので、股間支持部を跨ぐ、あるいは、臀部を股間支持部に載せると共にこの股間支持部の前方側に張り出すニーガイドの円弧状ガイド部に両膝を接触させることで安定化したアドレスとなり、このアドレスからトップオブポジションまでのテイクバック、および、トップオブポジションからフィニッシュまでの切り返しの間に、ニーガイドの円弧状ガイド部によって両膝の移動動作が円滑に案内されることとなって、違和感なくスイング軸を体で会得し得ることとなり、動きの正否を自己診断し得ることとなる。つまり、この練習を繰り返すことで、理想的なスイングが無理なくそして短い時間で身に付くこととなる。
【００１２】
本発明の請求項４に係わるゴルフ訓練用具では、上記した構成としているので、ニーガイドによる両脹脛の移動動作の案内がスムーズになされることとなり、その結果、スイング軸がより一層体感し易くなる。
【００１３】
本発明の請求項５に係わるゴルフ訓練用具では、上記した構成としているので、このゴルフ訓練用具を用いて練習を行う人の背丈の違いに迅速かつ簡単に対応しうることとなり、本発明の請求項６に係わるゴルフ訓練用具では、上記した構成としたため、このゴルフ訓練用具の収納場所の省スペース化が図られることとなる。
【００１４】
【実施例】
以下、本発明を図部に基づいて説明する。
【００１５】
図１ないし図３は、本発明に係わるゴルフ訓練用具の一実施例を示しており、図１に示すように、このゴルフ訓練用具１は、体の中心に置いて跨って使用するものであって、支柱２と、この支柱２を自立させるスタンド３と、図１（ａ）下方向（図１（ｃ）左方向）を向いて跨った状態で股間の位置決めを行う股間支持部４と、アドレスからトップオブポジションまでのテイクバックおよびトップオブポジションからフィニッシュまでの切り返しの間に両膝の移動動作を案内するニーガイド５を備えている。
【００１６】
支柱２は、下部支柱２Ａに上部支柱２Ｂをスライド可能に挿し込んでなるテレスコピックタイプのものであり、下部支柱２Ａの下端部およびこの下部支柱２Ａに所定の角度をもって取り付けたスタンド３の下端部には、支柱２を自立させるための水平バー６，６が互いに平行をなすようにしてそれぞれ固定してある。
【００１７】
股間支持部４は、ポリエチレンなどの合成樹脂からなる略半割アメフトボール形状をなしており、支柱２の上部支柱２Ｂの上端に取り付けてある。
【００１８】
一方、ニーガイド５は、ゴムやウレタンなどの弾性材料を例えば押し出し成形してなる略円形状のガイド本体５ａと、このガイド本体５ａの正面側（図１（ａ）下側、図１（ｃ）左側）に位置して、すなわち、股間支持部４の前方側に張り出してアドレスの段階で両膝と接触し且つテイクバックの段階でボール飛行方向側に位置する足の膝が摺接することでその移動動作を案内しかつ切り返しの段階でボール飛行方向とは反対側に位置する足の膝が摺接することでその移動動作を案内する円弧状ガイド部５ｂを具備しており、支柱２の上部支柱２Ｂに股間支持部４から所定の間隔をおいて取り付けてある。
【００１９】
この場合、支柱２の下部支柱２Ａの上端には、下部支柱２Ａと上部支柱２Ｂとを固定する締付けねじ７が設けてあり、この締付けねじ７を緩めて下部支柱２Ａに対して上部支柱２Ｂを適宜スライドさせることによって、股間支持部４およびニーガイド５の高さを調整することができるようになっている。
【００２０】
また、この実施例において、股間支持部４およびニーガイド５は、図２にも示すように、支柱２の上部支柱２Ｂに対して折り畳み可能に取り付けてあり、スタンド３も支柱２の下部支柱２Ａに折り畳み可能に取り付けてあり、股間支持部４，ニーガイド５およびスタンド３を折り畳むことで、このゴルフ訓練用具１を狭隘なスペースにでも収納することができるようにしてある。
【００２１】
そこで、上記したゴルフ訓練用具１の使い方を右利きの人を例に挙げて説明する。
【００２２】
［アドレス］
まず、このゴルフ訓練用具１を跨いで立ち、股間を股間支持部４に載せると共に、ニーガイド５の円弧状ガイド部５ｂに両膝を接触させてこのゴルフ訓練用具１を体の中心に合わせると、ほぼ理想に近いアドレスとなる。
【００２３】
［テイクバック］
次いで、図３(ａ)に示すように、バックスイングにおいて、右膝Ｒをアドレス状態に保ちつつ左足の膝Ｌをニーガイド５の円弧状ガイド部５ｂに摺接させながら上体を捩じると、右足にスムーズに体重が載って、すなわち、トップオブポジションに至るまでに円滑なウエイトシフトが行われて、図３(ｂ)に示すように、ほぼ理想に近いテイクバックとなる。
【００２４】
［切り返し］
そして、このトップオブポジションの姿勢から、図３(ｃ)に示すように、左にスウェーせずに右足がニーガイド５の円弧状ガイド部５ｂから離れないようにこの円弧状ガイド部５ｂに沿って摺接させて切り返すと、図３(ｄ)に示すように、クラブヘッドＣの縦の軌道を持った状態でインパクトさせることができる。
【００２５】
このとき、クラブフェースを開く動作をすると、ゴルフ訓練用具１が動いてしまうような悪いスイングになる。つまり、ゴルフ訓練用具１が動くことで、理想的なスイングを行っていないことが認識できる。
【００２６】
［フィニッシュ］
最後に、インパクトからフィニッシュにかけて、図３(ｅ)に示すように、右足がニーガイド５の円弧状ガイド部５ｂに沿うニーアクションを継続して行うと、理想的なスイングが完成することとなる。
【００２７】
したがって、上記ゴルフ訓練用具１では、サッカーボールやタイヤを膝の間に挟んだり、腰を柱などに縛り付けたりすることなく、股間を股間支持部４に載せるだけで、安定化したアドレスからトップオブポジションまでのテイクバック、および、トップオブポジションからフィニッシュまでの切り返しの間に、ニーガイド５の円弧状ガイド部５ｂにより両膝の移動動作が円滑に案内されることとなって、何ら違和感なくスイング軸を体で会得し得ることとなる。
【００２８】
また、上記ゴルフ訓練用具１では、支柱２の下部支柱２Ａの締付けねじ７を緩めて下部支柱２Ａに対して上部支柱２Ｂを適宜スライドさせれば、股間支持部４およびニーガイド５の高さ調整を行い得るので、このゴルフ訓練用具１を用いて練習を行う人の背丈の違いに即座に対処でき、さらに、このゴルフ訓練用具１では、支柱２に対して股間支持部４，ニーガイド５およびスタンド３を折り畳むことができるので、収納場所に困ることがほとんどないうえ、何処にでも持ち運ぶことが可能になる。
【００２９】
なお、本発明に係わるゴルフ訓練用具は、上記した実施例に限定されるものではなく、他の構成として、例えば、股間支持部が、臀部を略載せた状態で股間の位置決めを行うような構成をなすものとしたり、図１（ｃ）に仮想線で示すように、ニーガイド５が、円弧状ガイド部５ｂから下方に向けて末広がりに形成される袴状ガイド部５ｃを有している構成とすることも可能である。
【００３０】
【発明の効果】
以上説明したように、本発明の請求項１〜３に係わるゴルフ訓練用具では、上記した構成としたから、両膝の移動動作を円滑に案内することができ、従来イメージとし捕らえがちなスイング軸を違和感なく体で簡単に会得することが可能であり、このゴルフ訓練用具を用いて練習を繰り返すことにより、理想的なスイングを無理なくかつ短時間で身に付けることができるという非常に優れた効果がもたらされる。
【００３１】
本発明の請求項４に係わるゴルフ訓練用具では、上記した構成としているので、両脹脛の移動動作をより円滑に案内することができ、スイング軸をより一層簡単に会得することが可能であるという非常に優れた効果がもたらされる。
【００３２】
本発明の請求項５に係わるゴルフ訓練用具では、上記した構成としたため、このゴルフ訓練用具を用いて練習を行う人の背丈の違いに迅速かつ簡単に対処することができ、本発明の請求項６に係わるゴルフ訓練用具では、上記した構成としたことにより、このゴルフ訓練用具の収納場所の省スペース化をも実現することが可能であるという非常に優れた効果がもたらされる。
【図面の簡単な説明】
【図１】本発明に係わるゴルフ訓練用具の一実施例を示す平面説明図（ａ），正面説明図（ｂ）および側面説明図（ｃ）である。
【図２】図１におけるゴルフ訓練用具の股間支持部，ニーガイドおよびスタンドを折り畳んだ状態の側面説明図である。
【図３】図１におけるゴルフ訓練用具の使用要領を示す動作説明図（ａ）〜（ｅ）である。
【符号の説明】
１  ゴルフ訓練用具
２  支柱
３  スタンド
４  股間支持部
５  ニーガイド
５ｂ  円弧状ガイド部
５ｃ  袴状ガイド部
【図１】
0003955749.tif 000002
【図２】
0003955749.tif 000003
【図３】
0003955749.tif 000004